(57)【要約】【課題】濃度の低下を抑制しつつ、色再現域を広げることができる印画物作製方法及び印画物作製装置を提供する。【解決手段】イエロー層、マゼンタ層、及びシアン層を有するインクリボンを加熱手段により加熱し、印画紙上にイエロー、マゼンタ、及びシアンを転写して画像を形成する。一実施形態による印画物作製方法は、画像データを入力する工程と、前記印画紙上に形成される画像のカラーバランスの選択を受け付ける工程と、選択されたカラーバランスに基づいて、イエロー層、マゼンタ層、及びシアン層の加熱順序を決定する工程と、決定した加熱順序で前記インクリボンのイエロー層、マゼンタ層、及びシアン層を加熱して、前記画像データの画像を前記印画紙上に形成する工程と、を備える。【選択図】図６
2017121749.tif 000002
【特許請求の範囲】
【請求項１】
イエロー層、マゼンタ層、及びシアン層を有するインクリボンを加熱手段により加熱し、印画紙上にイエロー、マゼンタ、及びシアンを転写して画像を形成する印画物作製方法であって、
画像データを入力する工程と、
前記印画紙上に形成される画像のカラーバランスの選択を受け付ける工程と、
選択されたカラーバランスに基づいて、イエロー層、マゼンタ層、及びシアン層の加熱順序を決定する工程と、
決定した加熱順序で前記インクリボンのイエロー層、マゼンタ層、及びシアン層を加熱して、前記画像データの画像を前記印画紙上に形成する工程と、
を備える印画物作製方法。
【請求項２】
カラーバランスの選択を受け付けると、選択されたカラーバランスに基づいて前記画像データに対し色変換処理を施してプレビュー画像を作成し、前記プレビュー画像をディスプレイに表示することを特徴とする請求項１に記載の印画物作製方法。
【請求項３】
第１解像度のプレビュー画像を作成して前記ディスプレイに表示した後、前記第１解像度より高い第２解像度のプレビュー画像を作成して前記ディスプレイに表示することを特徴とする請求項２に記載の印画物作製方法。
【請求項４】
前記印画紙上に形成される画像の濃度の選択を受け付ける工程と、
選択された濃度に基づいて、前記加熱手段への印加電圧及び印画速度を決定する工程と、
をさらに備え、
決定した前記印加電圧及び印画速度に基づいて、前記インクリボンを加熱し、前記印画紙上に画像を形成することを特徴とする請求項１乃至３のいずれかに記載の印画物作製方法。
【請求項５】
画像データを入力する入力部と、
前記画像データを縮小したサムネイル画像を表示する表示部と、
前記サムネイル画像の選択を含む印刷注文の入力を受け付ける制御部と、
加熱手段によりイエロー層、マゼンタ層、及びシアン層を有するインクリボンを加熱し、印画紙上にイエロー、マゼンタ、及びシアンを転写して画像を形成するプリンタと、
を備え、
前記制御部は、前記印画紙上に形成される画像のカラーバランスの選択を受け付け、選択されたカラーバランスに基づいて、イエロー層、マゼンタ層、及びシアン層の加熱順序を決定し、決定した加熱順序で前記インクリボンのイエロー層、マゼンタ層、及びシアン層を加熱して前記画像データの画像を前記印画紙上に形成するように前記プリンタを制御することを特徴とする印画物作製装置。
【請求項６】
前記制御部は、カラーバランスの選択を受け付けると、選択されたカラーバランスに基づいて、前記画像データに対し色変換処理を施してプレビュー画像を作成し、前記プレビュー画像を前記表示部に表示することを特徴とする請求項５に記載の印画物作製装置。
【請求項７】
前記制御部は、第１解像度のプレビュー画像を作成して前記表示部に表示した後、前記第１解像度より高い第２解像度のプレビュー画像を作成して前記表示部に表示することを特徴とする請求項６に記載の印画物作製装置。
【請求項８】
前記制御部は、前記印画紙上に形成される画像の濃度の選択を受け付け、選択された濃度に基づいて前記加熱手段への印加電圧及び印画速度を決定し、前記プリンタを制御することを特徴とする請求項５乃至７のいずれかに記載の印画物作製装置。
【請求項９】
複数のカラーバランスと、前記インクリボンのイエロー層、マゼンタ層、及びシアン層の加熱順序との対応関係を規定した加熱順序テーブルを格納した記憶媒体が、前記インクリボンに取り付けられており、
前記記憶媒体から前記加熱順序テーブルを読み取る読取装置をさらに備え、
前記制御部は、前記加熱順序テーブルを参照して、選択されたカラーバランスに対応する、イエロー層、マゼンタ層、及びシアン層の加熱順序を決定することを特徴とする請求項５乃至８のいずれかに記載の印画物作製装置。
【発明の詳細な説明】
【技術分野】
【０００１】
本発明は、画像データを印画紙にプリントして出力する印画物作製方法及び印画物作製装置に関する。
【背景技術】
【０００２】
デジタルカメラやスマートフォン等で撮影した画像のデジタルデータを読み込んでプリント出力する印画物作製装置が様々な場所に設置されている。例えば、利用者は、デジタルカメラで撮影した画像データが記憶された記憶媒体を持参し、記憶媒体内の画像データを画像プリント装置に読み込ませる。印画物作製装置は、記憶媒体から読み込んだ画像データの画像をサムネイル表示し、利用者に提示する。そして、利用者がプリントする画像を選択し、プリント枚数等を指定すると、印画物作製装置は画像をプリント出力する。
【０００３】
印画物作製装置内に設けられた熱転写プリンタは、イエロー（Ｙ）層、マゼンタ（Ｍ）層、及びシアン（Ｃ）層が順次形成されたインクリボンをサーマルヘッドで加熱し、Ｙ、Ｍ、Ｃの順にインクを印画紙に転写して画像を形成する。
【０００４】
印画紙上に形成される画像のカラーバランス（特にグレー）は、Ｙ、Ｍ、Ｃ各色の印画エネルギーを微調整することで実現されている。しかし、Ｙ、Ｍ、Ｃ各色の印画エネルギーの大きい高濃度領域では、特定の色（例えばＹのみ）について印画エネルギーをさらに大きくしてカラーバランスを変化させて色再現域を広げるということが困難であった。
【０００５】
カラーバランスを変化させるために、特定の色以外の色（例えばＭ及びＣ）の印画エネルギーを小さくし、特定の色（例えばＹ）の印画エネルギーを相対的に大きくすることが考えられるが、このような手法では、形成される画像の濃度が低下するという問題があった。
【先行技術文献】
【特許文献】
【０００６】
【特許文献１】特開２００６−２８１５１０号公報
【特許文献２】特開２００８−１３７２２４号公報
【特許文献３】特開平５−７７５５６号公報
【発明の概要】
【発明が解決しようとする課題】
【０００７】
本発明は、上記従来の実状に鑑みてなされたものであり、濃度の低下を抑制しつつ、色再現域を広げることができる印画物作製方法及び印画物作製装置を提供することを課題とする。
【課題を解決するための手段】
【０００８】
本発明の一態様による印画物作製方法は、イエロー層、マゼンタ層、及びシアン層を有するインクリボンを加熱手段により加熱し、印画紙上にイエロー、マゼンタ、及びシアンを転写して画像を形成する印画物作製方法であって、画像データを入力する工程と、前記印画紙上に形成される画像のカラーバランスの選択を受け付ける工程と、選択されたカラーバランスに基づいて、イエロー層、マゼンタ層、及びシアン層の加熱順序を決定する工程と、決定した加熱順序で前記インクリボンのイエロー層、マゼンタ層、及びシアン層を加熱して、前記画像データの画像を前記印画紙上に形成する工程と、を備えるものである。
【０００９】
本発明の一態様による印画物作製方法は、カラーバランスの選択を受け付けると、選択されたカラーバランスに基づいて前記画像データに対し色変換処理を施してプレビュー画像を作成し、前記プレビュー画像をディスプレイに表示することを特徴とする。
【００１０】
本発明の一態様による印画物作製方法は、第１解像度のプレビュー画像を作成して前記ディスプレイに表示した後、前記第１解像度より高い第２解像度のプレビュー画像を作成して前記ディスプレイに表示することを特徴とする。
【００１１】
本発明の一態様による印画物作製方法は、前記印画紙上に形成される画像の濃度の選択を受け付ける工程と、選択された濃度に基づいて、前記加熱手段への印加電圧及び印画速度を決定する工程と、をさらに備え、決定した前記印加電圧及び印画速度に基づいて、前記インクリボンを加熱し、前記印画紙上に画像を形成することを特徴とする。
【００１２】
本発明の一態様による印画物作製装置は、画像データを入力する入力部と、前記画像データを縮小したサムネイル画像を表示する表示部と、前記サムネイル画像の選択を含む印刷注文の入力を受け付ける制御部と、加熱手段によりイエロー層、マゼンタ層、及びシアン層を有するインクリボンを加熱し、印画紙上にイエロー、マゼンタ、及びシアンを転写して画像を形成するプリンタと、を備え、前記制御部は、前記印画紙上に形成される画像のカラーバランスの選択を受け付け、選択されたカラーバランスに基づいて、イエロー層、マゼンタ層、及びシアン層の加熱順序を決定し、決定した加熱順序で前記インクリボンのイエロー層、マゼンタ層、及びシアン層を加熱して前記画像データの画像を前記印画紙上に形成するように前記プリンタを制御することを特徴とするものである。
【００１３】
本発明の一態様による印画物作製装置において、前記制御部は、カラーバランスの選択を受け付けると、選択されたカラーバランスに基づいて、前記画像データに対し色変換処理を施してプレビュー画像を作成し、前記プレビュー画像を前記表示部に表示することを特徴とする。
【００１４】
本発明の一態様による印画物作製装置において、前記制御部は、第１解像度のプレビュー画像を作成して前記表示部に表示した後、前記第１解像度より高い第２解像度のプレビュー画像を作成して前記表示部に表示することを特徴とする
【００１５】
本発明の一態様による印画物作製装置において、前記制御部は、前記印画紙上に形成される画像の濃度の選択を受け付け、選択された濃度に基づいて前記加熱手段への印加電圧及び印画速度を決定し、前記プリンタを制御することを特徴とする。
【００１６】
本発明の一態様による印画物作製装置は、複数のカラーバランスと、前記インクリボンのイエロー層、マゼンタ層、及びシアン層の加熱順序との対応関係を規定した加熱順序テーブルを格納した記憶媒体が、前記インクリボンに取り付けられており、前記記憶媒体から前記加熱順序テーブルを読み取る読取装置をさらに備え、前記制御部は、前記加熱順序テーブルを参照して、選択されたカラーバランスに対応する、イエロー層、マゼンタ層、及びシアン層の加熱順序を決定することを特徴とする。
【発明の効果】
【００１７】
本発明によれば、濃度の低下を抑制しつつ、色再現域を広げることができる。
【図面の簡単な説明】
【００１８】
【図１】本発明の実施形態による印画物作製装置のブロック構成図である。
【図２】同実施形態による印画物作製装置の斜視図である。
【図３】同実施形態による印画物作製装置に設けられたプリンタの概略構成図である。
【図４】プリンタで使用されるインクリボンの上面図である。
【図５】カラーバランス選択画面の一例を示す図である。
【図６】同実施形態による印画物作製方法を説明するフローチャートである。
【図７】濃度選択画面の一例を示す図である。
【発明を実施するための形態】
【００１９】
以下、本発明の実施の形態を図面に基づいて説明する。
【００２０】
図１は本発明の実施形態による印画物作製装置のブロック構成図であり、図２は印画物作製装置の斜視図である。図１に示すように、印画物作製装置は、タッチパネル（表示部、操作部）１０、データ入力部１１、課金部１２、プリンタ１３、ＣＰＵ（中央処理部）１４、ディスク装置（記憶部）１５、及びメインメモリ１６を有する。印画物作製装置の各部はバスを介して接続されている。
【００２１】
タッチパネル１０は、画像を含む情報を表示したり、利用者から各種指示の入力を受け付けたりする。例えば、タッチパネル１０は、利用者から、プリント出力する画像データの選択や、選択された画像データのプリント枚数指定、カラーバランス（仕上がりの色味）や画像濃度の選択などを受け付ける。図２に示すように、タッチパネル１０は、印画物作製装置の筐体１の上部に設けられ、ディスプレイ画面は略垂直に立った状態となっている。
【００２２】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａとタッチパネル１０との間に設けられている。
【００２３】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２４】
プリンタ１３は、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力した印画物が集積される集積部（図示略）が設けられており、開閉扉２を開けると集積部に集積された印画物を取り出せるようになっている。
【００２５】
図３は、プリンタ１３の概略構成図であり、図４はプリンタ１３で使用されるインクリボン２０の上面図である。プリンタ１３は、印画紙上にイエロー、マゼンタ、およびシアンを昇華転写して画像を形成し、この画像上に画面保護層を形成するものである。
【００２６】
プリンタ１３は、印画紙３０が巻き付けられた印画紙ロール３１と、印画紙ロール３１の下流側に設けられ、イエロー（Ｙ）層２１、マゼンタ（Ｍ）層２２、シアン（Ｃ）層２３、及びオーバーコート（ＯＰ）層２４を有するインクリボン２０（図４参照）を用いて、印画紙３０上にＹ、Ｍ、Ｃを昇華転写させて画像を形成するとともに、画像上にＯＰ層２４を熱転写して画面保護層を形成するサーマルヘッド（加熱手段）４０と、を備えている。
【００２７】
ここで、図４に示すように、インクリボン２０には、イエロー（Ｙ）層２１、マゼンタ（Ｍ）層２２、シアン（Ｃ）層２３、及びオーバーコート（ＯＰ）層２４が順次形成されている。サーマルヘッド４０の上流側に、インクリボン２０を巻き付けて形成されたインクリボン供給ロール２５が設けられ、サーマルヘッド４０の下流側に、インクリボン回収ロール２６が設けられている。インクリボン供給ロール２５から繰り出されたインクリボン２０は、サーマルヘッド４０を通って、インクリボン回収ロール２６に回収されるようになっている。
【００２８】
図３に示すように、サーマルヘッド４０の下方側には、回転駆動自在なプラテンロール２８が設けられている。また、サーマルヘッド４０をプラテンロール２８に対して昇降自在とさせる昇降手段２７がサーマルヘッド４０に連結されている。
【００２９】
サーマルヘッド４０の下流側には、画像が形成された印画紙３０を切断する切断手段５０が設けられている。この切断手段５０により印画紙３０が切断されて、印画物が作製される。
【００３０】
インクリボン２０のＹ層２１、Ｍ層２２、およびＣ層２３に用いる材料としては、バインダ樹脂に、昇華性染料を溶解あるいは分散させた材料を用いることが望ましい。また、ＯＰ層２４に用いる材料としては、透明で、接着性、耐光性等を有する材料を用いることが望ましい。
【００３１】
次に、プリンタ１３による印画物のプリント方法について説明する。まず、印画紙ロール３１から印画紙３０が繰り出され、この印画紙３０がサーマルヘッド４０へ送られる。この間、インクリボン供給ロール２５に巻き付けられたインクリボン２０が繰り出され、サーマルヘッド４０へ送られる。
【００３２】
続いて、印画紙３０上に、インクリボン２０を用いて、サーマルヘッド４０によりＹ、Ｍ、およびＣが昇華転写されて、画像が形成される。Ｙ、Ｍ、Ｃの転写順は制御部１４０により制御される。ここでは、一例として、Ｙ、Ｍ、Ｃの順で転写する方法を説明する。この場合、まず、印画紙３０と、インクリボン２０のＹ層２１とが位置合わせされる。次に、昇降手段２７により、サーマルヘッド４０がプラテンロール２８に向けて降下し、印画紙３０およびインクリボン２０を介してサーマルヘッド４０がプラテンロール２８に当接する。
【００３３】
続いて、プラテンロール２８が回転駆動して、印画紙３０およびインクリボン２０が前方側へ送られる。この間、サーマルヘッド４０に送信されてきた画像データに基づいて、サーマルヘッド４０によりインクリボン２０のＹ層２１の領域が選択的に加熱され、インクリボン２０から印画紙３０上にＹが昇華転写される。
【００３４】
このようにして、印画紙３０上に、画像データに対応してＹが昇華転写される。次に、昇降手段２７によりサーマルヘッド４０は上昇して、プラテンロール２８から離れる。
【００３５】
続いて、印画紙３０とインクリボン２０のＭ層２２とが位置合わせされる。この場合、印画紙３０は、画像に相当する距離だけ後方側へ送られるとともに、インクリボン２０は、Ｙ層２１とＭ層２２との間のマージンに相当する距離だけ前方側へ送られる。
【００３６】
続いて、Ｙを昇華転写する方法と同様にして、印画紙３０上にＭ、およびＣが順次昇華転写され、印画紙３０上に画像が形成される。
【００３７】
サーマルヘッド４０の上流側にインクリボン回収ロール２６を設け、サーマルヘッド４０の下流側にインクリボン供給ロール２５を設けてもよい。また、印画紙３０およびインクリボン２０を後方側へ送りながらインクを転写してもよい。
【００３８】
制御部１４０によるＹ、Ｍ、Ｃの転写順序の決定方法は後述する。
【００３９】
ディスク装置１５は、例えばハードディスクドライブであり、制御プログラム、転写順序テーブル、及び色変換情報を格納する。インクリボン２０のＹ層２１、Ｍ層２２、Ｃ層２３の転写順序を変えると、印画物に形成される画像の仕上がりの色味が変化する。例えば、Ｙを最後に転写することで黄色味が増す。転写順序テーブルは、Ｙ層２１、Ｍ層２２、Ｃ層２３の転写順と、印画物の仕上がりの色味との対応関係を規定している。転写順序テーブルの一例を以下の表１に示す。
【００４０】
【表１】
2017121749.tif 000003
【００４１】
色変換情報（色補正情報）は、転写順序に応じた印画物の仕上がりの色味をタッチパネル１０上に表現するための、画像データに適応する色変換パラメータである。
【００４２】
ＣＰＵ１４は、ディスク装置１５内の制御プログラムをメインメモリ１６にロードし、制御プログラムを実行することで、印画物作製装置の各部を制御する制御部１４０として機能する。
【００４３】
制御部１４０は、データ入力部１１を介して記憶媒体や携帯端末から画像データが入力されると、画像データを縮小したサムネイル画像をタッチパネル１０に表示する。各サムネイル画像の下部には、その画像のプリント枚数を指定するプリント枚数増減ボタンが設けられている。利用者はプリント枚数増減ボタンを押して、各画像のプリント枚数を指定できる。
【００４４】
また、制御部１４０は、選択した画像のカラーバランスの変更処理を開始するカラーバランス変更ボタンをタッチパネル１０に表示する。このカラーバランス変更ボタンが押されると、制御部１４０は、タッチパネル１０に、図５に示すようなカラーバランス選択ボタン６０を表示する。カラーバランス選択ボタン６０は、転写順序テーブルの「仕上がりの色味」に対応している。
【００４５】
カラーバランス選択ボタン６０が押されると、制御部１４０は、選択中の画像の画像データに対して、色変換情報に基づく色変換処理を施して、選択された色味でプリントした場合の印画物（写真）のプレビュー画像を作成し、プレビュー画像表示領域６２に表示する。利用者は、選択したカラーバランスでの仕上がりイメージを確認することができる。
【００４６】
制御部１４０は、プリント注文が完了すると、転写順序テーブルを参照して、利用者に選択された色味に対応するＹ層２１、Ｍ層２２、Ｃ層２３の転写順を決定し、決定した転写順でＹ、Ｍ、Ｃが印画紙３０に転写されるようにプリンタ１３を制御する。例えば、「緑味ＵＰ」が選択されている場合、制御部１４０は、Ｍ層２２、Ｙ層２１、Ｃ層２３の順序で転写するようにプリンタ１３を制御する。
【００４７】
次に、図６に示すフローチャートを用いて、本実施形態に係る印画物作製の流れを説明する。
【００４８】
利用者が持参した可搬記憶媒体が接続される等して、データ入力部１１が画像データの入力を受け付ける（ステップＳ１０１）。制御部１４０は、入力された画像データを縮小したサムネイル画像をタッチパネル１０のディスプレイに表示する。
【００４９】
利用者が、タッチパネル１０を操作して、プリント出力する画像を選択したり、プリント枚数を入力したりする（ステップＳ１０２）。
【００５０】
プリント出力する画像のカラーバランスを変更しない場合は（ステップＳ１０３＿Ｎｏ）、ステップＳ１０７へ進む。カラーバランスを変更する場合は（ステップＳ１０３＿Ｙｅｓ）、タッチパネル１０上のカラーバランス変更ボタンを押す。カラーバランス変更ボタンが押されると、タッチパネル１０に図５に示すようなカラーバランス選択画面が表示される（ステップＳ１０４）。
【００５１】
利用者がカラーバランス選択ボタン６０を押すと（ステップＳ１０５）、制御部１４０は、選択中の画像の画像データに対して、色変換情報に基づく色変換処理を施して、選択されたカラーバランス（色味）でプリントした場合の写真の仕上がりイメージ画像を作成し、プレビュー画像表示領域６２に表示する（ステップＳ１０６）。
【００５２】
プリントを所望する画像の選択、プリント枚数の指定、及びカラーバランスの指定が終了し、注文が完了した場合は（ステップＳ１０７＿Ｙｅｓ）、ステップＳ１０８に進む。注文を続ける場合は（ステップＳ１０７＿Ｎｏ）、ステップＳ１０２に戻る。
【００５３】
利用者からの注文内容に基づく請求金額がタッチパネル１０に表示される。利用者が貨幣を投入すると、課金部１２は投入された貨幣を計数し、釣銭の出金やレシートの印字等を行う（ステップＳ１０８）。
【００５４】
課金処理後、制御部１４０が、プリンタ１３に、注文内容に基づく画像データのプリントを実行させる（ステップＳ１０９）。制御部１４０は、転写順序テーブルを参照して、利用者に指定されたカラーバランスに対応するインクリボン２０のＹ層２１、Ｍ層２２、Ｃ層２３の転写順を決定し、決定した順序で転写するようにプリンタ１３を制御する。
【００５５】
以上のように、本実施形態では、カラーバランスの選択を受け付け、選択されたカラーバランスに応じてインクリボン２０のＹ層２１、Ｍ層２２、Ｃ層２３の転写順を変えることで、色再現域を広げることができる。また、特定の色以外の色の印画エネルギーを小さくして特定の色の印画エネルギーを相対的に大きくする方法と比較して、画像の濃度低下を抑制することができる。
【００５６】
本実施形態によれば、例えば、利用者が、デジタルカメラで草原の景色を撮影し、緑色の印象が強い画像について、“緑味ＵＰ”のカラーバランスを選択した場合、プリンタ１３はＭ層２２、Ｙ層２１、Ｃ層２３の順に転写を行う。これにより、デジタルカメラで作成・保存された画像データよりも、利用者の記憶（印象）に近い色味の画像の印画物を作製することができる。
【００５７】
上記実施形態において、カラーバランス選択ボタン６０は文字だけでなく、色イメージをカラー表示してもよい。
【００５８】
上記実施形態では、カラーバランス（色味）の選択を受け付ける例について説明したが、印画物作製装置は、濃度の選択を受け付けてもよい。例えば、図７に示すような濃度選択ボタン７０がタッチパネル１０に表示される。濃度選択ボタン７０が押されると、制御部１４０は、選択中の画像の画像データに対して、色変換情報に基づく色（濃度）変換処理を施して、選択された濃度でプリントした場合の印画物（写真）のプレビュー画像を作成し、プレビュー画像表示領域７２に表示する。
【００５９】
この場合、ディスク装置１５には、以下の表２に示すような、濃度と、サーマルヘッド４０への印加電圧及び印画速度との関係を規定した印画条件テーブルが格納されている。制御部１４０は、印画条件テーブルを参照して、利用者に選択された濃度に対応する印画条件を決定し、プリンタ１３を制御する。
【００６０】
【表２】
2017121749.tif 000004
【００６１】
インクリボン２０のＣ層２３とＯＰ層２４との間にブラック（ＢＫ）層を設け、ＢＫ層の転写により白黒印画を行うことができる印画物作製装置としてもよい。このような印画物作製装置では、白黒印画のグレーの濃度の選択を受け付け、選択された濃度に応じて、ＢＫ層を加熱する際のサーマルヘッド４０への印加電圧及び印画速度を変えることで、グレーの色再現域を広げることができる。また、黄色味のある黒（グレー）の選択を受け付けて、ＢＫ層の転写の前又は後にＹ層２１の転写を行うなどして、様々な黒色を表現できるようにしてもよい。ＢＫ層は、Ｙ層２１、Ｍ層２２、Ｃ層２３、ＯＰ層２４が設けられたインクリボン２０とは別のインクリボンに設けてもよい。
【００６２】
さらに、印画物作製装置は、印画物の見た目（マット調／グロス調）の選択を受け付けてもよい。この場合、ディスク装置１５には、見た目と、ＯＰ層２４を加熱する際のサーマルヘッド４０への印加電圧等との関係を規定した仕上げ処理条件テーブルが格納されている。制御部１４０は、仕上げ処理条件テーブルを参照して、利用者に選択された見た目に対応する仕上げ処理条件を決定し、プリンタ１３を制御する。
【００６３】
印画物作製装置は、印画物の見た目について、マット調の強弱や、グロス調（光沢）の強弱の選択を受け付けてもよい。例えば、強マットの仕上げ処理条件には、ＯＰ層２４を加熱する際のサーマルヘッド４０への印加電圧について高い値が設定される。一方、超光沢（強光沢）の仕上げ処理条件には、ＯＰ層２４を加熱する際のサーマルヘッド４０への印加電圧について低い値が設定される。
【００６４】
インクリボン２０のＯＰ層２４の前又は後に真珠光沢（パール）顔料を含有するパール層を設け、印画物の見た目について、マット、グロスに加えてパール仕上げを選択できるようにしてもよい。パール仕上げが選択された場合、印画物作製装置は、印画紙３０上にＹ、Ｍ、Ｃを昇華転写させて画像を形成した後、画像上にパール層を熱転写して真珠光沢を持つ画面保護層を形成する。
【００６５】
上記実施形態において、制御部１４０は、選択されたカラーバランスに基づく色変換処理及びプレビュー画像の作成・表示を、画像１つずつ順番に行ってもよいし、選択された複数の画像の色変換後のプレビュー表示を同時に行ってもよい。また、色変換処理に時間がかかる場合は、色変換した低解像度（小サイズ）のプレビュー画像（サムネイル画像）を先に表示し、その後、高解像度（大サイズ）の画像に置き換えてもよい。
【００６６】
上記実施形態において、転写順序テーブルや色変換情報等を、インクリボン２０のボビンの一端側に取り付けられたＩＣタグ等の記憶媒体に格納し、印画物作製装置の読取装置によりＩＣタグからこれらのデータを読み取るようにしてもよい。
【００６７】
上記実施形態において、印画物作製装置は、２つ以上のタッチパネルを備えていてもよい。例えば、入力された画像データのサムネイル画像の一覧を第１タッチパネルに表示し、カラーバランス選択画面や濃度選択画面を第２タッチパネルに表示してもよい。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１０  タッチパネル
１１  データ入力部
１２  課金部
１３  プリンタ
１４  ＣＰＵ
１５  ディスク装置
１６  メインメモリ
２０  インクリボン
２１  イエロー層
２２  マゼンタ層
２３  シアン層
２４  オーバーコート層
２８  プラテンロール
３０  印画紙
３１  印画紙ロール
４０  サーマルヘッド
５０  切断手段
【図１】
2017121749.tif 000005
【図２】
2017121749.tif 000006
【図３】
2017121749.tif 000007
【図４】
2017121749.tif 000008
【図５】
2017121749.tif 000009
【図６】
2017121749.tif 000010
【図７】
2017121749.tif 000011